(57)【特許請求の範囲】
【請求項１】
原稿画像を読み取って画像データを生成し、ページ単位で受信側装置へ送信する通信装置であって、
原稿画像を読み取る読取手段と、
１の原稿画像から分割される複数の分割画像に対応した複数ページ分の第１画像データを生成する第１生成手段と、
他の原稿画像から分割される複数の分割画像に対応した複数ページ分の第２画像データを生成する第２生成手段と、
前記第１生成手段により生成される複数ページ分の第１画像データと、前記第２生成手段により生成される複数ページ分の第２画像データとを、前記受信側装置に対し送信する送信手段と、
記録媒体のサイズを示すサイズ情報を取得するサイズ取得手段とを備え、
前記送信手段は、送信順序において（ｎ−１）ページ目の画像データとｎページ目の画像データとのうち、一方の画像データが前記第１画像データであり、他方の画像データが前記第２画像データとなる送信順序で送信し（ｎは任意の偶数）、
前記第１生成手段および前記第２生成手段は、前記サイズ取得手段により取得した前記サイズ情報が示すサイズの記録媒体に印刷可能な分割画像に対応した前記第１画像データおよび前記第２画像データを生成する通信装置。
【請求項２】
原稿画像を読み取って画像データを生成し、ページ単位で受信側装置へ送信する通信装置であって、
原稿画像を読み取る読取手段と、
１の原稿画像から分割される複数の分割画像に対応した複数ページ分の第１画像データを生成する第１生成手段と、
他の原稿画像から分割される複数の分割画像に対応した複数ページ分の第２画像データを生成する第２生成手段と、
前記第１生成手段により生成される複数ページ分の第１画像データと、前記第２生成手段により生成される複数ページ分の第２画像データとを、前記受信側装置に対し送信する送信手段と、
前記読取手段により片面が読み取られる原稿の総枚数が奇数であるかを判断する総枚数判断手段と、
前記総枚数判断手段により前記総枚数が奇数であると判断される場合、最終原稿の原稿画像を形成する複数の分割画像に対応した複数ページ分の第３画像データを生成する第３生成手段とを備え、
前記送信手段は、送信順序において（ｎ−１）ページ目の画像データとｎページ目の画像データとのうち、一方の画像データが前記第１画像データであり、他方の画像データが前記第２画像データとなる送信順序で送信するものであって、送信順序において（ｎ−１）ページ目の画像データとｎページ目の画像データとのうち、一方の画像データは１ページ分の第３画像データであり、他方の画像データは所定の１ページ分の画像データとなる送信順序で、前記複数ページ分の第３画像データを送信する通信装置（ｎは任意の偶数）。
【請求項３】
原稿画像を読み取って画像データを生成し、ページ単位で受信側装置へ送信する通信装置であって、
原稿画像を読み取るものであって、原稿画像からの反射光に基づいて画像データを生成する読取部と前記原稿画像とが第１方向に相対的に移動するように、前記読取部または前記原稿画像を移動させつつ、前記原稿画像に対応する画像データを生成する読取手段と、
１の原稿画像から分割される複数の分割画像に対応した複数ページ分の第１画像データを生成する第１生成手段と、
他の原稿画像から分割される複数の分割画像に対応した複数ページ分の第２画像データを生成する第２生成手段と、
前記第１生成手段により生成される複数ページ分の第１画像データと、前記第２生成手段により生成される複数ページ分の第２画像データとを、前記受信側装置に対し送信する送信手段と、
前記１の原稿画像に対応する画像データと前記他の原稿画像に対応する画像データとのうち、前記第１方向におけるサイズがより小さい画像データの前記第１方向のサイズが、前記第１方向におけるサイズがより大きい画像データの前記第１方向のサイズと等しくなるように、一方の画像データに付加データを付加する付加手段とを備え、
前記送信手段は、送信順序において（ｎ−１）ページ目の画像データとｎページ目の画像データとのうち、一方の画像データが前記第１画像データであり、他方の画像データが前記第２画像データとなる送信順序で送信し（ｎは任意の偶数）、
前記第１生成手段および前記第２生成手段は、前記付加手段により前記付加データを付加した後、前記１の原稿画像に対応する画像データおよび前記他の原稿画像に対応する画像データから、前記第１画像データおよび前記第２画像データを生成する通信装置。
【請求項４】
原稿画像を読み取って画像データを生成し、ページ単位で受信側装置へ送信する通信装置であって、
原稿画像を読み取る読取手段と、
１の原稿画像から分割される複数の分割画像に対応した複数ページ分の第１画像データを生成する第１生成手段と、
他の原稿画像から分割される複数の分割画像に対応した複数ページ分の第２画像データを生成する第２生成手段と、
前記第１生成手段により生成される複数ページ分の第１画像データと、前記第２生成手段により生成される複数ページ分の第２画像データとを、前記受信側装置に対し送信する送信手段と、
前記複数ページ分の第１画像データと、前記複数ページ分の第２画像データとのうち、いずれか一方に対して、１８０°の回転処理を施す回転手段とを備え、
前記送信手段は、送信順序において（ｎ−１）ページ目の画像データとｎページ目の画像データとのうち、一方の画像データが前記第１画像データであり、他方の画像データが前記第２画像データとなる送信順序で送信する通信装置（ｎは任意の偶数）。
【請求項５】
前記受信側装置が両面印刷を行うかを示す機能情報を取得する印刷機能取得手段を備え、
前記送信手段は、前記印刷機能取得手段により取得した前記機能情報に基づき、前記受信側装置が両面印刷を行うと判断される場合、送信順序において（ｎ−１）ページ目の画像データとｎページ目の画像データとのうち、一方の画像データが前記第１画像データであり、他方の画像データが前記第２画像データとなる送信順序で送信する、請求項１から４のいずれかに記載の通信装置。
【請求項６】
前記読取手段は、原稿画像からの反射光に基づいて画像データを生成する読取部と前記原稿画像とが第１方向に相対的に移動するように、前記読取部または前記原稿画像を移動させつつ、前記第１方向における原稿画像の一端から他端までを読み取るものであり、
前記送信手段は、前記一端側により近い分割画像に対応する画像データを、より早い送信順序で送信する、請求項１から５のいずれかに記載の通信装置。
【請求項７】
前記第１生成手段および前記第２生成手段は、
前記読取手段により片面が読み取られる原稿のうち、読み取りの順序において連続する２枚の原稿の原稿画像を、前記１の原稿画像と前記他の原稿画像として、前記第１画像データおよび前記第２画像データを生成する請求項１から６のいずれかに記載の通信装置。
【請求項８】
前記読取手段により、原稿が両面読み取りされる場合、１枚の原稿の一方の面の原稿画像を前記１の原稿画像とし、他方の面の原稿画像を前記他の原稿画像として、前記画像データを生成する請求項１から７のいずれかに記載の通信装置。
【請求項９】
原稿画像を読み取って画像データを生成し、ページ単位で受信側装置へ送信する通信装置であって、
原稿画像を読み取る読取手段と、
１の原稿画像から分割される複数の分割画像に対応した複数ページ分の画像データから成る第１画像データを生成する第１生成手段と、
他の原稿画像から分割される複数の分割画像に対応した複数ページ分の画像データから成る第２画像データを生成する第２生成手段と、
前記第１生成手段により生成される複数ページ分の第１画像データと、前記第２生成手段により生成される複数ページ分の第２画像データとを、前記受信側装置に対し送信する送信手段と、
前記受信側装置が両面印刷を行うかを示す機能情報を取得する印刷機能取得手段とを備え、
前記送信手段は、前記印刷機能取得手段により取得した前記機能情報に基づき、前記受信側装置が両面印刷を行うと判断される場合、送信順序において（ｎ−１）ページ目の画像データとｎページ目の画像データとのうち、一方の画像データが前記第１画像データに含まれる前記複数ページ分の画像データのうちの１ページ分の画像であり、他方の画像データが前記第２画像データに含まれる前記複数ページ分の画像データのうちの１ページ分の画像データとなる送信順序で送信し（ｎは任意の偶数）、
前記第１生成手段および前記第２生成手段は、前記読取手段により原稿が片面読み取りされる場合、読み取りの順序において連続する２枚の原稿の原稿画像を、前記１の原稿画像と前記他の原稿画像として、前記第１画像データおよび前記第２画像データを生成し、または、前記読取手段により原稿が両面読み取りされる場合、１枚の原稿の一方の面の原稿画像を前記１の原稿画像とし、他方の面の原稿画像を前記他の原稿画像として、前記第１画像データおよび前記第２画像データを生成する通信装置。
【発明の詳細な説明】
【技術分野】
【０００１】
本発明は、通信装置に関する。
【背景技術】
【０００２】
ＦＡＸ受信した画像が１枚の記録紙に収まらない長尺画像である場合、複数枚の記録紙に分割して印刷することが行われている。また特許文献１には、長尺の画像を複数枚の記録紙に分割し、両面印刷を行うことが記載されている。
【０００３】
図１４は、従来のＦＡＸ装置において、長尺画像１００を分割して両面印刷した場合の印刷結果を示す図である。例えば、図１４に示すように、長尺画像１００から分割される２つの分割画像１０２が１枚の記録紙の両面に印刷される。このようにすれば、両面印刷により記録紙の使用量を節約しつつ、長尺画像をＦＡＸ受信した場合にも対応できる。
【先行技術文献】
【特許文献】
【０００４】
【特許文献１】特開平１０−３１５５０１号公報
【発明の概要】
【発明が解決しようとする課題】
【０００５】
しかしながら、長尺画像を分割して両面印刷する場合、ユーザは、１枚の記録紙の表面と裏面とを見て、これらを繋ぎ合わせた全体像を想像するしかなく、視認性が悪いという問題点があった。
【０００６】
本発明は、上述した問題点を解決するためになされたものであり、受信側装置が受信した画像データを両面印刷する場合であっても、当該受信側装置において視認性良く画像を印刷できるように、受信側装置に対して画像データを送信できる通信装置を提供することを目的とする。
【課題を解決するための手段】
【０００７】
この目的を達成するために、本発明の通信装置は、原稿画像を読み取って画像データを生成し、ページ単位で受信側装置へ送信するものであって、原稿画像を読み取る読取手段と、１の原稿画像から分割される複数の分割画像に対応した複数ページ分の第１画像データを生成する第１生成手段と、他の原稿画像から分割される複数の分割画像に対応した複数ページ分の第２画像データを生成する第２生成手段と、前記第１生成手段により生成される複数ページ分の第１画像データと、前記第２生成手段により生成される複数ページ分の第２画像データとを、前記受信側装置に対し送信する送信手段とを備え、前記送信手段は、送信順序において（ｎ−１）ページ目の画像データとｎページ目の画像データとのうち、一方の画像データが前記第１画像データであり、他方の画像データが前記第２画像データとなる送信順序で送信する（ｎは任意の偶数）ものであり、更に、次の第１から第５の構成のうち少なくとも１つを備えている。
第１の構成として、記録媒体のサイズを示すサイズ情報を取得するサイズ取得手段を備え、前記第１生成手段および前記第２生成手段は、前記サイズ取得手段により取得した前記サイズ情報が示すサイズの記録媒体に印刷可能な分割画像に対応した前記第１画像データおよび前記第２画像データを生成する。
第２の構成として、前記読取手段により片面が読み取られる原稿の総枚数が奇数であるかを判断する総枚数判断手段と、前記総枚数判断手段により前記総枚数が奇数であると判断される場合、最終原稿の原稿画像を形成する複数の分割画像に対応した複数ページ分の第３画像データを生成する第３生成手段とを備え、前記送信手段は、送信順序において（ｎ−１）ページ目の画像データとｎページ目の画像データとのうち、一方の画像データは１ページ分の第３画像データであり、他方の画像データは所定の１ページ分の画像データとなる送信順序で、前記複数ページ分の第３画像データを送信する。
第３の構成として、前記読取手段は、原稿画像からの反射光に基づいて画像データを生成する読取部と前記原稿画像とが第１方向に相対的に移動するように、前記読取部または前記原稿画像を移動させつつ、前記原稿画像に対応する画像データを生成し、前記１の原稿画像に対応する画像データと前記他の原稿画像に対応する画像データとのうち、前記第１方向におけるサイズがより小さい画像データの前記第１方向のサイズが、前記第１方向におけるサイズがより大きい画像データの前記第１方向のサイズと等しくなるように、一方の画像データに付加データを付加する付加手段を備え、前記第１生成手段および前記第２生成手段は、前記付加手段により前記付加データを付加した後、前記１の原稿画像に対応する画像データおよび前記他の原稿画像に対応する画像データから、前記第１画像データおよび前記第２画像データを生成する。
第４の構成として、前記複数ページ分の第１画像データと、前記複数ページ分の第２画像データとのうち、いずれか一方に対して、１８０°の回転処理を施す回転手段を備える。
第５の構成として、前記受信側装置が両面印刷を行うかを示す機能情報を取得する印刷機能取得手段を備え、前記送信手段は、前記印刷機能取得手段により取得した前記機能情報に基づき、前記受信側装置が両面印刷を行うと判断される場合、送信順序において（ｎ−１）ページ目の画像データとｎページ目の画像データとのうち、一方の画像データが前記第１画像データに含まれる前記複数ページ分の画像データのうちの１ページ分の画像であり、他方の画像データが前記第２画像データに含まれる前記複数ページ分の画像データのうちの１ページ分の画像データとなる送信順序で送信し（ｎは任意の偶数）、前記第１生成手段および前記第２生成手段は、前記読取手段により原稿が片面読み取りされる場合、読み取りの順序において連続する２枚の原稿の原稿画像を、前記１の原稿画像と前記他の原稿画像として、前記第１画像データおよび前記第２画像データを生成し、または、前記読取手段により原稿が両面読み取りされる場合、１枚の原稿の一方の面の原稿画像を前記１の原稿画像とし、他方の面の原稿画像を前記他の原稿画像として、前記第１画像データおよび前記第２画像データを生成する。
【０００８】
なお、本発明は、通信方法、通信装置を制御する制御装置、通信装置を制御する制御プログラム、該プログラムを記録する記録媒体等の種々の態様で構成することができる。
【発明の効果】
【０００９】
請求項１記載の通信装置によれば、１の原稿画像から分割される複数の分割画像に対応した複数ページ分の第１画像データと、他の原稿画像から分割される複数の分割画像に対応した複数ページ分の第２画像データとが、送信手段により受信側装置に対し送信される。ここで、前記送信手段は、送信順序において（ｎ−１）ページ目の画像データとｎページ目の画像データとのうち、一方の画像データが第１画像データであり、他方の画像データが第２画像データとなる送信順序で送信する。よって、（ｎ−１）ページ目に送信した画像データに基づく画像とｎページ目に送信した画像データに基づく画像とが、受信側装置において、１枚の記録媒体の表面と裏面とに印刷される場合、印刷結果としては、第１画像データに基づく画像が一方の面に印刷され、第２画像データに基づく画像が他方の面に印刷された複数枚の記録媒体が得られる。したがって、受信側装置のユーザは、複数の記録媒体の一方の面の画像から１の原稿画像に対応した画像を形成でき、他方の面の画像からは、他の原稿画像に対応した画像を形成できる。すなわち、受信側装置が受信した画像データを両面印刷する場合であっても、当該受信側装置において視認性良く画像を印刷できるように、受信側装置に対して画像データを送信できるという第１の効果がある。また、サイズ情報が示すサイズの記録媒体に印刷可能な分割画像に対応した第１画像データおよび第２画像データを生成できるという第２の効果がある。
【００１０】
請求項２記載の通信装置によれば、請求項１記載の通信装置の奏する第１の効果に加え、片面が読み取られる原稿の総枚数が奇数である場合、最終原稿の原稿画像を形成する複数の分割画像に対応した第３画像データについては、送信順序において（ｎ−１）ページ目の画像データとｎページ目の画像データとのうち、一方の画像データは１ページ分の第３画像データであり、他方の画像データは所定の１ページ分の画像データとなる送信順序で送信される。よって、原稿の総枚数が奇数である場合であっても、最終原稿に対応する画像まで視認性良く印刷できるように、受信側装置に対して画像データを送信できるという第２の効果がある。
【００１１】
請求項３記載の通信装置によれば、請求項１記載の通信装置の奏する第１の効果に加え、１の原稿画像に対応する画像データと他の原稿画像に対応する画像データとのうち、第１方向におけるサイズがより小さい画像データの前記第１方向のサイズが、第１方向におけるサイズがより大きい画像データの前記第１方向のサイズと等しくなるように、一方の画像データに付加データが付加され、付加データを付加した後、１の原稿画像に対応する画像データおよび他の原稿画像に対応する画像データから、第１画像データおよび第２画像データが生成されるので、第１方向におけるサイズが互いに異なる２つの画像データから第１画像データおよび第２画像データを生成する場合に比較して、処理の負荷を軽減できるという第２の効果がある。
【００１２】
請求項４記載の通信装置によれば、請求項１記載の通信装置の奏する第１の効果に加え、第１画像データと、第２画像データとのうち、いずれか一方に対して、１８０°の回転処理が施されるので、例えば、１の原稿画像と他の原稿画像の天地が逆向きである場合であっても、受信側装置においては、１の原稿画像に対応する画像と、他の原稿画像に対応する画像との天地を一致させた向きで、印刷させることができるという効果がある。逆に、１の原稿画像と他の原稿画像の天地が一致する向きである場合、受信側装置においては、１の原稿画像に対応する画像と、他の原稿画像に対応する画像との天地が逆向きになるように印刷させることができるという第２の効果がある。
【００１３】
請求項５記載の通信装置によれば、請求項１から４のいずれかに記載の通信装置の奏する効果に加え、受信側装置が両面印刷を行うと判断される場合に、送信順序において（ｎ−１）ページ目の画像データとｎページ目の画像データとのうち、一方の画像データが第１画像データであり、他方の画像データが第２画像データとなる送信順序で画像データが送信されるので、受信側装置の印刷機能に適した送信順序で、画像データを送信できるという効果がある。
【００１４】
請求項６記載の通信装置によれば、請求項１から５のいずれかに記載の通信装置の奏する効果に加え、サイズ情報が示すサイズの記録媒体に印刷可能な分割画像に対応した第１画像データおよび第２画像データを生成できるという効果がある。
【００１５】
請求項７記載の通信装置によれば、請求項１から６のいずれかに記載の通信装置の奏する効果に加え、読み取りの順序において連続する２枚の原稿の原稿画像が、１の原稿画像と他の原稿画像として、第１画像データおよび第２画像データが生成されるので、受信側装置のユーザは、読み取りの順序に従って各原稿画像に対応する画像を視認することが容易にできるという効果がある。
【００１６】
請求項８記載の通信装置によれば、請求項１から７のいずれかに記載の通信装置の奏する効果に加え、原稿が両面読み取りされる場合において、受信側装置が両面印刷を行う場合であっても、受信側装置において視認性良く画像を印刷できるように、画像データを送信できるという効果がある。
【００１７】
請求項９記載の通信装置によれば、請求項１に記載の通信装置の奏する第１の効果に加え、受信側装置が両面印刷を行うと判断される場合に、送信順序において（ｎ−１）ページ目の画像データとｎページ目の画像データとのうち、一方の画像データが第１画像データであり、他方の画像データが第２画像データとなる送信順序で画像データが送信されるので、受信側装置の印刷機能に適した送信順序で、画像データを送信できるという効果がある。また、次のいずれかの効果がある。即ち、読み取りの順序において連続する２枚の原稿の原稿画像が、１の原稿画像と他の原稿画像として、第１画像データおよび第２画像データが生成されるので、受信側装置のユーザは、読み取りの順序に従って各原稿画像に対応する画像を視認することが容易にできるという効果がある。または、原稿が両面読み取りされる場合において、受信側装置が両面印刷を行う場合であっても、受信側装置において視認性良く画像を印刷できるように、画像データを送信できるという効果がある。
【図面の簡単な説明】
【００１８】
【図１】本発明の実施形態であるＭＦＰの電気的構成を示すブロック図である。
【図２】片面ＦＡＸ送信処理の一例を説明する図である。
【図３】（ａ），（ｂ）は、受信側装置で印刷される記録紙の一例を示す図である。
【図４】片面ＦＡＸ送信処理を示すフローチャートである。
【図５】２ページ処理を示すフローチャートである。
【図６】片面ＦＡＸ送信処理で用いる変数を説明する図である。
【図７】１ページ処理を示すフローチャートである。
【図８】両面ＦＡＸ送信処理を示すフローチャートである。
【図９】（ａ），（ｂ）は、両面ＦＡＸ送信処理における原稿の一例を示す図であり、（ｃ）は、分割画像データの一例を示す図である。
【図１０】長辺綴じ原稿読取処理を示すフローチャートである。
【図１１】短辺綴じ原稿読取処理を示すフローチャートである。
【図１２】裏面読取処理を示すフローチャートである。
【図１３】両面ＦＡＸ送信処理で用いる変数を説明する図である。
【図１４】従来のＦＡＸ装置において、長尺画像を複数の分割画像に分割して両面印刷した場合の印刷結果を示す図である。
【発明を実施するための形態】
【００１９】
以下、本発明の好ましい実施形態について、添付図面を参照して説明する。図１は、本発明の通信装置の一実施形態である多機能周辺装置（以下、「ＭＦＰ（Ｍｕｌｔｉ  Ｆｕｎｃｔｉｏｎ  Ｐｅｒｉｐｈｅｒａｌ）」と称す）１の電気的構成を示したブロック図である。
【００２０】
ＭＦＰ１はＦＡＸ機能を有する。特に、本実施形態のＭＦＰ１は、受信側装置が受信した画像データを両面印刷する場合であっても、当該受信側装置において視認性良く画像を印刷できるように画像データをＦＡＸ送信する。
【００２１】
ＭＦＰ１には、ＣＰＵ１０、フラッシュメモリ１１、ＲＡＭ１２、ＬＣＤ１６、タッチパネル１７、スキャナ１８、ＡＤＦ１９、プリンタ２０、ＮＣＵ２１、モデム２２が主に設けられている。ＣＰＵ１０、フラッシュメモリ１１、ＲＡＭ１２は、バスライン２３を介して互いに接続されている。また、ＬＣＤ１６、タッチパネル１７、スキャナ１８、ＡＤＦ１９、プリンタ２０、ＮＣＵ２１、モデム２２、バスライン２３は、入出力ポート２４を介して互いに接続されている。
【００２２】
ＣＰＵ１０は、フラッシュメモリ１１に記憶される固定値やプログラム、ＲＡＭ１２に記憶されているデータなどに従って、ＭＦＰ１が有する機能の制御や、入出力ポート２４と接続された各部を制御する。フラッシュメモリ１１は、制御プログラム１１ａなどが記憶された書換可能な不揮発性のメモリである。ＣＰＵ１０は、制御プログラム１１ａに従い、後述する片面ＦＡＸ送信処理（図４）および両面ＦＡＸ送信処理（図８）を実行する。
【００２３】
ＲＡＭ１２は、書換可能な揮発性のメモリであり、長尺画像メモリ１２ａと、分割画像メモリ１２ｂとが設けられる。長尺画像メモリ１２ａは、スキャナ１８により原稿３０が読み取られた場合に、その原稿３０の長尺画像データが記憶されるメモリである。分割画像メモリ１２ｂは、原稿３０の長尺画像データに基づいて生成される分割画像データが記憶されるメモリである。
【００２４】
ＬＣＤ１６は、液晶表示装置である。タッチパネル１７は、ＭＦＰ１に対するユーザからの指示入力を受け付ける入力装置である。スキャナ１８は、撮像素子をライン状に配置した読取ユニット１８ａを備える。スキャナ１８は、読取ユニット１８ａに対して相対的に移動する原稿画像からの反射光に基づいて、原稿画像をライン毎に読み取り、その原稿画像に対応する画像データを生成する。なお、読取ユニット１８ａにおける撮像素子の配列方向を、以下、主走査方向と称する。
【００２５】
ＡＤＦ１９は、所定位置にセットされた原稿を一枚ずつスキャナ１８に搬送する自動原稿搬送装置であって、原稿が所定位置にセットされているか否かを検出する原稿検出センサ１９ａが設けられる。以下、ＡＤＦ１９による原稿３０の搬送方向を副走査方向と称する。
【００２６】
プリンタ２０は、画像データに基づく画像などを記録紙に印刷する。ＮＣＵ２１は、電話回線の制御を行う。モデム２２は、ＦＡＸ送信時には送信信号を変調し、ＦＡＸ受信時には受信した変調信号を復調する。
【００２７】
図２は、ＭＦＰ１が実行する片面ＦＡＸ送信処理の一例を説明する図である。スキャナ１８は、ＡＤＦ１９によって副走査方向に搬送される原稿３０に形成された原稿画像３１を、主走査方向に沿ったライン毎に読み取り、原稿画像３１に対応した長尺画像データを生成する。
【００２８】
片面ＦＡＸ送信処理では、読取順序において連続する２枚分の原稿画像３１を１セットとし、１セット分の原稿画像３１を読み取る度に１つのジョブを生成し、受信側装置に送信する。
【００２９】
例えば、図２（ａ）に示す３枚の原稿３０がＡＤＦ１９にセットされた場合、ＭＦＰ１は、まず、１，２枚目の原稿画像３１を１セットとする。そして、図２（ｂ）に示すように、１枚目の原稿画像３１から分割される複数の分割画像３２に対応した分割画像データと、２枚目の原稿画像３１から分割される複数の分割画像３２に対応した分割画像データとを、１ページずつ交互に送信する。例えば、図２（ｂ）に示す例では、１枚目の原稿画像３１から生成される分割画像データを、１，３ページ目として送信し、２枚目の原稿画像３１から生成される分割画像データを、２，４ページ目として送信する。このような送信順序で送信する場合の効果については、図３を参照して後述する。
【００３０】
ここで、例えば、図２（ａ）に示すように、原稿３０の総枚数が奇数である場合には、半端となる１枚の最終原稿３０（図２に示す例では３枚目の原稿３０）で、１つのジョブを生成する。
【００３１】
具体的には、図２（ｃ）に示すように、最終の原稿画像３１から分割される分割画像３２に対応する分割画像データと、白画像３３（全画素が白を示す画像）に対応する１ページ分の白紙データとを、１ページずつ交互に送信する。
【００３２】
次に、ＭＦＰ１が送信した分割画像データに基づき受信側装置が両面印刷を実行した場合の印刷結果を、図３を参照して説明する。ここで、受信側装置は、両面印刷を実行する場合、画像データを受信した順序で印刷するものとする。すなわち、ＭＦＰ１が（ｎ−１）ページ目に送信した分割画像データに基づく画像とｎページ目に送信した分割画像データに基づく画像とを、１枚の記録紙４０の表面と裏面とに印刷する。そして、次の分割画像データをさらに受信した場合には、次の記録紙４０の表面に画像を印刷する。
【００３３】
図３（ａ）は、図２（ｂ）に示した１ジョブ目に基づく印刷結果を示す図である。図３（ａ）に示すように、受信側装置は、１，２ページ目に受信した分割画像データに基づく画像を、１枚目の記録紙４０の表面、裏面にそれぞれ印刷する。同様に、３，４ページ目に受信した分割画像データに基づく画像を、２枚目の記録紙４０の表面、裏面に印刷する。
【００３４】
その結果、表面には１枚目の原稿画像３１（本例では、ひらがなが形成された画像）から生成された分割画像データに基づく画像が印刷され、裏面には２枚目の原稿画像３１（本例ではアルファベットが形成された画像）から生成された分割画像データに基づく画像が印刷された複数枚の記録紙４０が得られる。
【００３５】
したがって、受信側装置のユーザは、複数の記録紙４０の表面の画像から１枚目の原稿画像３１に対応した画像を形成でき、裏面の画像からは、２枚目の原稿画像３１に対応した画像を形成できる。例えば、複数枚の記録紙４０を適切な配置で繋ぎ合わせることにより、その表面には１枚目の原稿画像３１に対応した全体画像を形成でき、裏面には２枚目の原稿画像３１に対応した全体画像を形成できる。よって、１の原稿画像３１に対応した画像の全体を確認するために、１枚の記録紙４０の両面を確認しなくても良い。
【００３６】
図３（ｂ）は、図２（ｃ）に示す２ジョブ目に基づいて、受信側装置が印刷する画像を示す図である。この場合、受信側装置においては、３枚目の原稿画像３１から生成された分割画像データに対応する画像を、複数枚の記録紙４０の表面に印刷する。一方、これら複数枚の記録紙４０の裏面は白画像とされる（すなわち、画像が印刷されない）。よって、受信側装置のユーザは、複数枚の記録紙４０の表面のみから、３枚目の原稿画像３１に対応した画像を視認できる。
【００３７】
このように、片面ＦＡＸ送信処理によれば、受信側装置が受信した分割画像データを両面印刷する場合であっても、当該受信側装置において視認性良く画像を印刷できるように、受信側装置に対して分割画像データを送信できる。また、原稿の総枚数が奇数である場合であっても、最終原稿に対応する画像まで視認性良く印刷できるように、受信側装置に対して分割画像データを送信できる。
【００３８】
図４は、ＭＦＰ１が実行する片面ＦＡＸ送信処理を示すフローチャートである。この処理は、ユーザにより片面ＦＡＸ送信が指示された場合に開始される。まず、この処理で使用するフラグおよび変数を説明する。「ＳｃａｎＦｌａｇ」は、ＡＤＦ１９にセットされた原稿３０を１枚ずつ順番に読み取る場合に、これから読み取る原稿３０が奇数枚目なのか、偶数枚目なのかを示すフラグである。「Ｓｃａｎ＿Ｙ１」、「Ｓｃａｎ＿Ｙ２」は、１セットを構成する２枚の原稿３０に対応した長尺画像データのうち、１枚目の原稿３０の長尺画像データに含まれるライン数（すなわち副走査方向サイズ）、２枚目の原稿３０の長尺画像データに含まれるライン数を示す。
【００３９】
「Ｊｏｂ＿Ｃｎｔ」は、ユーザが片面ＦＡＸ送信を指示してから、現在実行中のジョブが何ジョブ目であるかを示す。「Ｎ」は、ユーザが片面ＦＡＸ送信処理を指示してから、これまでにスキャナ１８により読み取られた原稿３０の枚数を示す。「Ｐａｇｅ＿ｙ」は、分割画像データに含めるライン数（すなわち、分割画像データの副走査方向サイズ）を示す。
【００４０】
まず、ＣＰＵ１０は、Ｓｃａｎ＿Ｙ１，Ｓｃａｎ＿Ｙ２を０に初期化して、ＳｃａｎＦｌａｇ，Ｊｏｂ＿Ｃｎｔ，Ｎを１に初期化し、Ｐａｇｅ＿ｙを０に初期化する（Ｓ４０１）。次に、ＣＰＵ１０は、受信側装置との間で電話回線を閉結してネゴシエーションを行うことにより、受信側装置からＤＩＳ信号を受信し、そのＤＩＳ信号から受信側装置に関する情報を取得する（Ｓ４０２）。具体的には、受信側装置が両面印刷を行うか否かを示す印刷機能情報と、受信側装置が受信可能な画像データの主走査方向サイズを示す主走査サイズ情報とを、ＤＩＳ信号から読み出す。なお、主走査サイズ情報がＡ４を示す場合、受信側装置は、Ａ４およびレターの両方のサイズの画像データを受信可能である。よって、本実施形態では、Ａ４およびレターのうち、ユーザにより選択されたサイズで分割画像データを生成し、送信することとしている。
【００４１】
具体的には、主走査サイズ情報に基づいて受信側装置がＡ４の画像データを受信可能であると判断され、且つ、印刷機能情報に基づいて受信側装置が両面印刷を行うと判断される場合（Ｓ４０３：Ｙｅｓ）、ＣＰＵ１０は、Ａ４とレターとのうち、ユーザにより選択された一方のサイズを示すサイズ情報を取得する（Ｓ４０４）。なお、このサイズ情報は、例えば、フラッシュメモリ１１などに予め記憶されていても良いし、ユーザに入力させても良い。
【００４２】
次に、ＣＰＵ１０は、サイズ情報に対応したライン数を、フラッシュメモリ１１から読み出し、Ｐａｇｅ＿ｙに設定する（Ｓ４０５）。具体的には、生成すべき分割画像データのライン数、すなわち、サイズ情報が示すサイズの記録紙４０に印刷可能な分割画像３２に対応した画像データのライン数を、Ｐａｇｅ＿ｙに設定する。
【００４３】
次に、ＣＰＵ１０は、読取ユニット１８ａに対して原稿画像３１が副走査方向へ相対的に移動するように、ＡＤＦ１９により原稿画像３１を搬送させつつ、副走査方向における原稿画像３１の一端から他端までを、読取ユニット１８ａで読み取り、生成した長尺画像データを長尺画像メモリ１２ａに記憶させる（Ｓ４０６）。
【００４４】
そして、ＳｃａｎＦｌａｇが１である場合（Ｓ４０７：Ｙｅｓ）、すなわち、今回読み取ったＮ枚目が奇数枚目である場合、ＣＰＵ１０は、長尺画像データに含まれるライン数を、Ｓｃａｎ＿Ｙ１に設定する（Ｓ４０８）。一方、ＳｃａｎＦｌａｇが０である場合（Ｓ４０７：Ｎｏ）、すなわち、今回読み取ったＮ枚目が偶数枚目である場合、ＣＰＵ１０は、長尺画像データに含まれるライン数を、Ｓｃａｎ＿Ｙ２に設定する（Ｓ４０９）。次に、ＣＰＵ１０は、Ｎに１を加算する（Ｓ４１０）。
【００４５】
ＡＤＦ１９にセットされた原稿３０がすべて読み取られた場合、Ｓ４１１またはＳ４１２の判断が肯定されるが、この場合の処理については後述する。一方、ＡＤＦ１９に原稿３０が残っている場合であって（Ｓ４１１：Ｎｏ，Ｓ４１２：Ｎｏ）、奇数枚目を読み取った後である場合、すなわち、原稿検出センサ１９ａがオンであり、且つ、ＳｃａｎＦｌａｇが１の場合（Ｓ４１３：Ｙｅｓ）、次は、偶数枚目を読み取るので、ＳｃａｎＦｌａｇに０を設定して（Ｓ４１４）、Ｓ４０６の処理へ戻る。
【００４６】
一方、偶数枚目を読み取った後、ＡＤＦ１９に原稿が残っている場合、すなわち、原稿検出センサ１９ａがオン、且つ、ＳｃａｎＦｌａｇが０である場合（Ｓ４１３：Ｎｏ）、すなわち、１セットを構成する２枚分の原稿画像３１を読み取った場合、ＣＰＵ１０は、２ページ処理を実行することにより（Ｓ４１５）、Ｊｏｂ＿Ｃｎｔ番目のジョブを生成する。２ページ処理については、図５を参照して後述する。
【００４７】
次に、ＣＰＵ１０は、ＳｃａｎＦｌａｇに１を設定して（Ｓ４１６）、Ｊｏｂ＿Ｃｎｔ番目のジョブの分割画像データを、ページ単位で受信側装置へ送信する（Ｓ４１７）。具体的には、図２（ｂ）を参照して説明したように、（Ｎ−１）枚目の原稿画像３１に基づく分割画像データとＮ枚目の原稿画像３１に基づく分割画像データとを、１ページずつ交互に送信する。そして、ＣＰＵ１０は、Ｊｏｂ＿Ｃｎｔに１を加算して（Ｓ４１８）、Ｓ４０６の処理へ戻る。
【００４８】
このようにして処理を繰り返すうちに、ＡＤＦ１９にセットされた全ての原稿３０の読み取りが終了して原稿検出センサ１９ａがオフとなり、且つ、ＳｃａｎＦｌａｇが１である場合（Ｓ４１１：Ｙｅｓ）、すなわち、最後に読み取った原稿３０が奇数枚目の場合、原稿３０の総枚数が奇数であったと判断される。
【００４９】
この場合、ＣＰＵ１０は、最終原稿の原稿画像３１から分割画像データを生成する１ページ処理を実行して（Ｓ４１９）、Ｊｏｂ＿Ｃｎｔ番目のジョブを生成する。１ページ処理については、図７を参照して後述する。そして、ＣＰＵ１０は、Ｊｏｂ＿Ｃｎｔ番目のジョブの分割画像データを、受信側装置へ送信し（Ｓ４２０）、本処理を終了する。
【００５０】
一方、原稿検出センサ１９ａがオフ、且つ、ＳｃａｎＦｌａｇが０の場合（Ｓ４１２：Ｙｅｓ）、すなわち、最後に読み取った原稿３０が偶数枚目の場合、原稿３０の総枚数が偶数であったと判断される。
【００５１】
この場合、ＣＰＵ１０は、２ページ処理を実行する（Ｓ４１５）。そして、Ｊｏｂ＿Ｃｎｔ番目のジョブに含まれる分割画像データを、受信側装置へ送信し（Ｓ４２０）、本処理を終了する。
【００５２】
なお、受信側装置がＡ４サイズの画像データを受信可能ではない場合、または、受信側装置が両面印刷を行わない場合（Ｓ４０３：Ｎｏ）、ＣＰＵ１０は、ＡＤＦ１９にセットされている複数枚の原稿３０を、１枚ずつスキャナ１８に読み取らせ、各々の長尺画像データを長尺画像メモリ１２ａに記憶させる（Ｓ４２１）。次に、ＣＰＵ１０は、各々の長尺画像データを、受信側装置に対し通常通りに１ジョブとして送信し（Ｓ４２２）、本処理を終了する。ここで、「通常通りに送信」とは、長尺画像データを分割せずに、読み取った順序で順次、受信側装置へ送信することを意味する。
【００５３】
本実施形態の片面ＦＡＸ送信処理によれば、受信側装置が両面印刷を行うと判断されることを条件として、（Ｎ−１）枚目の原稿画像３１に基づく分割画像データと、Ｎ枚目の原稿画像３１に基づく分割画像データとを１ページずつ交互に送信する。よって、受信側装置の印刷機能に適した送信順序で、画像データを送信できる。
【００５４】
図５は、ＭＦＰ１が実行する２ページ処理（Ｓ４１５）を示すフローチャートである。この処理は、（Ｎ−１）枚目とＮ枚目の原稿画像３１の長尺画像データから分割画像データを生成する処理である。
【００５５】
この処理で使用する変数を説明する。「Ｔｒｉｍ＿Ｓｔａｒｔ」は、長尺画像データから一の分割画像データをトリミングする（抽出する）場合のトリミング開始位置（副走査方向におけるライン位置）を示す。「Ｄ」は、分割画像データをトリミングする回数を示す。「ｉ」は、現在、何回目のトリミングを実行しているかを示す。
【００５６】
まず、ＣＰＵ１０は、Ｔｒｉｍ＿Ｓｔａｒｔを０に初期化し（Ｓ５０１）、Ｓｃａｎ＿Ｙ１とＳｃａｎ＿Ｙ２とが等しい否かを判断する（Ｓ５０２：Ｙｅｓ）。ここで、Ｓｃａｎ＿Ｙ１とＳｃａｎ＿Ｙ２とが等しくない場合（Ｓ５０２：Ｎｏ）、すなわち、（Ｎ−１）枚目の長尺画像データのライン数と、Ｎ枚目の長尺画像データのライン数とが等しくない場合、両者を一致させるための処理を行う。
【００５７】
具体的には、図６（ａ）に示すように、（Ｎ−１）枚目の長尺画像データとＮ枚目の長尺画像データとのうち、副走査方向におけるサイズがより小さい長尺画像データ（すなわちライン数が小さい長尺画像データ）の副走査方向のサイズが、副走査方向におけるサイズがより大きい長尺画像データの副走査方向サイズと等しくなるように、一方の長尺画像データに白紙データ３４を付加する。
【００５８】
図５に戻り説明する。Ｓｃａｎ＿Ｙ１がＳｃａｎ＿Ｙ２を超えている場合（Ｓ５０３：Ｙｅｓ）、すなわち、（Ｎ−１）枚目の長尺画像データのライン数が、Ｎ枚目の長尺画像データのライン数よりも大きい場合、ＣＰＵ１０は、Ｎ枚目の長尺画像データに、（Ｓｃａｎ＿Ｙ１−Ｓｃａｎ＿Ｙ２）ライン分の白紙データ３４を付加する（Ｓ５０４）。一方、Ｓｃａｎ＿Ｙ１がＳｃａｎ＿Ｙ２以下の場合（Ｓ５０３：Ｎｏ）、ＣＰＵ１０は、（Ｎ−１）枚目の長尺画像データに、（Ｓｃａｎ＿Ｙ２−Ｓｃａｎ＿Ｙ１）ライン分の白紙データ３４を付加し（Ｓ５０５）、Ｓｃａｎ＿Ｙ１に、Ｓｃａｎ＿Ｙ２の値を設定する（Ｓ５０６）。このようにして、２つの長尺画像データのライン数を一致させた後、Ｓ５０７以降のステップで分割画像データを生成することにより、分割画像データを生成する処理の負荷を軽減できるのであるが、詳細は後述する。
【００５９】
なお、Ｓｃａｎ＿Ｙ１とＳｃａｎ＿Ｙ２とが等しい場合（Ｓ５０２：Ｙｅｓ）、すなわち、（Ｎ−１）枚目の長尺画像データと、Ｎ枚目の長尺画像データのライン数が最初から等しい場合には、Ｓ５０３からＳ５０６を実行せず、Ｓ５０７のステップに移行する。
【００６０】
次に、ＣＰＵ１０は、ｃｅｉｌ（Ｓｃａｎ＿Ｙ１／Ｐａｇｅ＿ｙ）を算出して、その算出結果をＤに設定し、また、ｉに１を設定する（Ｓ５０７）。ここで、ｃｅｉｌ（Ｓｃａｎ＿Ｙ１／Ｐａｇｅ＿ｙ）は、（Ｓｃａｎ＿Ｙ１／Ｐａｇｅ＿ｙ）を算出し、更に、少数点以下を切り上げた整数値を算出することを意味する。次に、ＣＰＵ１０は、Ｊｏｂ＿Ｃｎｔ番目のジョブを生成し（Ｓ５０８）、長尺画像データから分割画像データを生成する。
【００６１】
図６（ｂ）から（ｄ）を参照して、分割画像データを生成する処理について説明する。なお、分割画像データを生成する段階においては、（Ｎ−１）枚目の長尺画像データとＮ枚目の長尺画像データの副走査方向サイズは、共にＳｃａｎ＿Ｙ１とされている。
【００６２】
図６（ｂ）に示すように、１つ目の分割画像データを生成する場合、トリミング開始位置（副走査方向におけるライン位置）を示す変数Ｔｒｉｍ＿ｓｔａｒｔは、０である。よって、長尺画像データの０ライン目から、副走査方向終端側に向かってＰａｇｅ＿ｙライン分のデータ３１ａをトリミングして、１つ目の分割画像データとする。すなわち、ユーザによって指定されたサイズの記録紙４０に印刷可能な分割画像３２に対応した分割画像データを生成する。
【００６３】
次に、１つ目の分割画像データのトリミング終了位置（Ｐａｇｅ＿ｙ）を、Ｔｒｉｍ＿ｓｔａｒｔとして設定する。そして、図６（ｃ）に示すように、Ｔｒｉｍ＿ｓｔａｒｔから副走査方向終端側に向かってＰａｇｅ＿ｙライン分のデータ３１ｂをトリミングして、２つ目の分割画像データとする。
【００６４】
次に、例えば、図６（ｄ）に示すように、トリミング可能な残りのデータサイズがＰａｇｅ＿ｙ分よりも小さい場合には、残りのデータ３１ｃを分割画像データとする。具体的には、Ｔｒｉｍ＿ｓｔａｒｔから、（Ｓｃａｎ＿Ｙ１−Ｔｒｉｍ＿ｓｔａｒｔ）ライン分のデータ３１ｃを、分割画像データとしてトリミングする。
【００６５】
図５に戻り、分割画像データの生成をフローチャートを参照して説明する。まず、（Ｓｃａｎ＿Ｙ１−Ｔｒｉｍ＿ｓｔａｒｔ）が、Ｐａｇｅ＿ｙ以上の場合（Ｓ５０９：Ｎｏ）、ＣＰＵ１０は、（Ｎ−１）枚目の長尺画像データについて、Ｔｒｉｍ＿ｓｔａｒｔから、Ｐａｇｅ＿ｙライン分のトリミングを行って分割画像データを生成し、データＡとする（Ｓ５１０）。また、Ｎ枚目の長尺画像データについて、Ｔｒｉｍ＿ｓｔａｒｔから、Ｐａｇｅ＿ｙライン分のトリミングを行って分割画像データを生成し、データＢとする（Ｓ５１１）。次に、ＣＰＵ１０は、Ｔｒｉｍ＿ｓｔａｒｔにＰａｇｅ＿ｙを加算し（Ｓ５１２）、Ｓ５１５の処理へ移行する。
【００６６】
そして、ＣＰＵ１０は、データＡを、Ｊｏｂ＿Ｃｎｔ番目のジョブにおける（２*ｉ−１）ページ目の分割画像データとし（Ｓ５１５）、データＢを、Ｊｏｂ＿Ｃｎｔ番目のジョブにおける（２*ｉ）ページ目の分割画像データとする（Ｓ５１６）。次に、ＣＰＵ１０は、ｉに１を加算し（Ｓ５１７）、ｉがＤ以下の場合（Ｓ５１８：Ｙｅｓ）、Ｓ５０９の処理に戻り、分割画像データの生成を繰り返す。
【００６７】
上述したように、（Ｎ−１）枚目の長尺画像データとＮ枚目の長尺画像データとは、ライン数が等しくなるように、白紙データ３４が付加されている。よって、Ｓ５０７，Ｓ５０９など、長尺画像データのライン数（Ｓｃａｎ＿Ｙ１）を用いた演算の結果は、（Ｎ−１）枚目とＮ枚目とに共通して使用できる。よって、ライン数が互いに異なる長尺画像データからそれぞれ分割画像データを生成する場合に比較して、処理の負荷が軽減されるのである。
【００６８】
このようにして処理を繰り返すうちに、（Ｓｃａｎ＿Ｙ１−Ｔｒｉｍ＿ｓｔａｒｔ）がＰａｇｅ＿ｙより小さくなると（Ｓ５０９：Ｙｅｓ）、ＣＰＵ１０は、（Ｎ−１）枚目の長尺画像データについて、Ｔｒｉｍ＿ｓｔａｒｔから、（Ｓｃａｎ＿Ｙ１−Ｔｒｉｍ＿ｓｔａｒｔ）ライン分のトリミングを行って分割画像データを生成し、データＡとする（Ｓ５１３）。また、ＣＰＵ１０は、Ｎ枚目の長尺画像データについて、Ｔｒｉｍ＿ｓｔａｒｔから、（Ｓｃａｎ＿Ｙ１−Ｔｒｉｍ＿ｓｔａｒｔ）ライン分のトリミングを行って分割画像データを生成し、データＢとする（Ｓ５１４）。このようにして、長尺画像データの終端までトリミングを終了すると、ｉがＤを超えるので（Ｓ５１８：Ｎｏ）、ＣＰＵ１０は、本処理を終了する。
【００６９】
２ページ処理によれば、副走査方向における先端（０ライン目）側により近い分割画像３２に対応する分割画像データには、より小さいページ番号を割り当てることができる。上述したように、ＭＦＰ１から受信側装置へは、ページ番号の順に分割画像データを送信するので、先端側により近い分割画像３２に対応する画像データほど、より早い送信順序で送信される。一方、受信側装置においては、画像データを受信した順序に両面印刷を行う。よって、受信側装置のユーザは印刷順序に従って記録紙４０を並べれば良く、（Ｎ−１）枚目の原稿画像３１に対応した画像およびＮ枚目の原稿画像に対応した画像を、容易に形成できる。
【００７０】
図７は、ＭＦＰ１が実行する１ページ処理（Ｓ４１９）を示すフローチャートである。この処理において、図５に示す２ページ処理と同一の部分については、同一のステップ番号を付して、その説明を省略する。この処理は、原稿３０の総枚数が奇数であると判断される場合に実行される処理であって、最終原稿の原稿画像３１から分割画像データを生成する処理である。
【００７１】
まず、（Ｓｃａｎ＿Ｙ１−Ｔｒｉｍ＿ｓｔａｒｔ）がＰａｇｅ＿ｙ以上の場合（Ｓ５０９：Ｎｏ）、ＣＰＵ１０は、Ｎ枚目の長尺画像データについて、Ｔｒｉｍ＿ｓｔａｒｔから、Ｐａｇｅ＿ｙライン分のトリミングを行って分割画像データを生成し、データＡとする（Ｓ７０１）。また、ＣＰＵ１０は、Ｐａｇｅ＿ｙライン分の白紙データ３４を生成して、データＢとする（Ｓ７０２）。そして、ＣＰＵ１０は、Ｔｒｉｍ＿ｓｔａｒｔにＰａｇｅ＿ｙを加算して（Ｓ５１２）、データＡを、Ｊｏｂ＿Ｃｎｔ番目のジョブにおける（２*ｉ−１）ページ目の分割画像データとし（Ｓ５１５）、データＢを、Ｊｏｂ＿Ｃｎｔ番目のジョブにおける（２*ｉ）ページ目の分割画像データとし（Ｓ５１６）、Ｓ５１７へ移行する。
【００７２】
一方、（Ｓｃａｎ＿Ｙ１−Ｔｒｉｍ＿ｓｔａｒｔ）がＰａｇｅ＿ｙより小さい場合（Ｓ５０９：Ｙｅｓ）、ＣＰＵ１０は、Ｎ枚目の原稿３０に対応する長尺画像データについて、Ｔｒｉｍ＿ｓｔａｒｔから、（Ｓｃａｎ＿Ｙ１−Ｔｒｉｍ＿ｓｔａｒｔ）ライン分のトリミングを行って分割画像データを生成し、データＡとする（Ｓ７０３）。
【００７３】
そして、ＣＰＵ１０は、データＡを、Ｊｏｂ＿Ｃｎｔ番目のジョブにおける（２*ｉ−１）ページ目の分割画像データとし（Ｓ７０４）、Ｓ５１７へ移行する。このようにすれば、図３を参照して説明したように、受信側装置においては、最終原稿の原稿画像３１に対応した画像を、記録紙４０の片面に印刷でき、他方の面を白紙とすることができる。
【００７４】
片面ＦＡＸ送信処理（図４〜図７）によれば、読み取りの順序において連続する２枚の原稿画像３１（すなわち（Ｎ−１）枚目の原稿画像３１とＮ枚目の原稿画像３１）が１セットとして、分割画像データが送信される。
【００７５】
よって、受信側装置のユーザが、複数枚の記録紙４０を貼り合わせて大判の記録紙とする場合、一方の面には、（Ｎ−１）枚目の原稿画像３１に対応した全体画像を形成し、他方の面には、Ｎ枚目の原稿画像３１に対応した全体画像を形成できる。すなわち、多数枚の原稿３０がＡＤＦ１９にセットされていた場合であっても、読み取りの順序において連続する２枚の原稿３０に対応する２つの全体画像を、１枚の大判の記録紙の表面と裏面とで視認できる。したがって、読み取りの順序に従って各原稿画像に対応する画像を視認することが容易にできる。
【００７６】
次に、図８〜図１３を参照して、両面ＦＡＸ送信処理を説明する。両面ＦＡＸ送信処理においては、１枚の原稿の一方の面の原稿画像と、他方の面の原稿画像とを１セットとして、分割画像データを生成する。すなわち１枚の原稿を読み取る毎に１のジョブを生成する。
【００７７】
図８は、ＭＦＰ１が実行する両面ＦＡＸ送信処理を示すフローチャートである。この処理は、両面ＦＡＸ送信処理の実行をユーザが指示した場合に開始される。なお、両面ＦＡＸ送信処理において、片面ＦＡＸ送信処理と同一のステップについては同一の符号を付して、その説明を省略する。
【００７８】
この処理で使用する変数を説明する。「Ｎ＿１」は、１枚の原稿の表面の長尺画像（以下、表面長尺画像）について、現在、何個目の分割画像データを生成しているかを示す。「Ｎ＿２」は、１枚の原稿の裏面の長尺画像（以下、裏面長尺画像）について、現在、何個目の分割画像データを生成しているかを示す。「Ｙ＿１」は、表面長尺画像から現在生成中の分割画像データについて読取済みのライン数を示す。「Ｙ＿２」は、裏面長尺画像から現在生成中の分割画像データについて読取済みのライン数を示す。
【００７９】
「Ｅｎｄ＿ｆｌａｇ１」は、表面長尺画像について分割画像データの生成が完了した場合に１に設定されるフラグである。「Ｅｎｄ＿ｆｌａｇ２」は、裏面長尺画像について分割画像データの生成が完了した場合に１に設定されるフラグである。「Ｐａｇｅ＿ｙ」は、片面ＦＡＸ送信処理の場合と同様に、分割画像データに含めるべきライン数を示す。
【００８０】
まず、ＣＰＵ１０は、Ｙ＿１，Ｙ＿２，Ｅｎｄ＿ｆｌａｇ１，Ｅｎｄ＿ｆｌａｇ２を０に初期化して、Ｎ＿１，Ｎ＿２を１に初期化し、Ｐａｇｅ＿ｙを０に初期化する（Ｓ８０１）。
【００８１】
そして、原稿の読取設定が「長辺綴じ」である場合（Ｓ８０２：Ｙｅｓ）、ＣＰＵ１０は、長辺綴じ原稿読取処理を実行する（Ｓ８０３）。一方、原稿の読取設定が「短辺綴じ」である場合（Ｓ８０２：Ｎｏ）、ＣＰＵ１０は、短辺綴じ原稿読取処理を実行する（Ｓ８０４）。長辺綴じ原稿読取処理（Ｓ８０３）については、図１０を参照して後述し、短辺綴じ原稿読取処理（Ｓ８０４）については、図１１を参照して後述する。また、原稿の読取設定については、フラッシュメモリ１１に予め設定されているものとする。
【００８２】
図９（ａ）は、長辺綴じ原稿の一例を示す図である。複数枚の原稿３５が長辺で綴じられる場合、左または右へ向けて各ページを捲ることになる。したがって、長辺綴じの原稿３５では、表面長尺画像３６と裏面長尺画像３７との天地を一致する方向で、各画像３６，３７が形成されている。
【００８３】
図９（ｂ）は、短辺綴じの原稿の一例を示す図である。複数枚の原稿３５が短辺で綴じられる場合、上または下へ向けて各ページを捲ることになる。したがって、短辺綴じの原稿３５では、表面長尺画像３６と裏面長尺画像３７との天地を逆向きにする方向で、各画像３６，３７が形成されている。このようにすれば、１枚の原稿３５の表面長尺画像３６を閲覧し、次にその原稿３５を上方向に捲り、裏面長尺画像３７を閲覧する場合に、裏面長尺画像３７も正しい向き（すなわち、画像の上方向が閲覧者から見て上方向となる向き）で閲覧させることができるからである。
【００８４】
図８に戻り説明する。ＣＰＵ１０は、原稿の読取設定に基づいて、長辺綴じ原稿読取処理（Ｓ８０３）、または、短辺綴じ原稿読取処理（Ｓ８０４）のいずれかを実行し、生成された分割画像データを受信側装置へ送信し（Ｓ８０５）、本処理を終了する。
【００８５】
また、受信側装置がＡ４サイズの画像データを受信可能ではない場合、または、受信側装置が両面印刷を行わない場合（Ｓ４０３：Ｎｏ）、ＣＰＵ１０は、ＡＤＦ１９にセットされている１枚の原稿３５の両面をスキャナ１８に読み取らせ、各々の長尺画像データを長尺画像メモリ１２ａに記憶させる（Ｓ８０６）。次に、ＣＰＵ１０は、各々の長尺画像データを、通常通りに、受信側装置へ送信し（Ｓ４２２）、本処理を終了する。なお、ＡＤＦ１９に複数枚の原稿３５がセットされている場合、ＭＦＰ１は、１枚の原稿３５を読み取る毎に、本処理を実行するものとする。
【００８６】
図１０は、ＭＦＰ１が実行する長辺綴じ原稿読取処理（Ｓ８０３）を示すフローチャートである。この処理では、長辺綴じの原稿３５から分割画像データを生成する。
【００８７】
まず、ＣＰＵ１０は、ジョブを新たに生成し（Ｓ１００１）、次に、表面長尺画像から分割画像データを生成する処理（Ｓ１００２〜Ｓ１０１０）と、裏面長尺画像から分割画像データを生成する処理（Ｓ１０１１〜Ｓ１０１９）とを並行して実行する。
【００８８】
まず、表面長尺画像の処理を説明する。ＣＰＵ１０は、１枚の原稿３５の表面長尺画像を１ライン分、スキャナ１８に読み取らせて１ライン分の画像データを生成させ、ＲＡＭ１２に蓄積させる（Ｓ１００２）。表面長尺画像全体の読み取りが終了していない場合（Ｓ１００３：Ｎｏ）、ＣＰＵ１０は、Ｙ＿１に１を加算する（Ｓ１００４）。次に、Ｐａｇｅ＿ｙが示すライン数のデータがＲＡＭ１２に蓄積されていない場合、即ち、Ｙ＿１がＰａｇｅ＿ｙと等しくない場合（Ｓ１００５：Ｎｏ）、ＣＰＵ１０は、Ｓ１００２の処理に戻る。
【００８９】
一方、Ｙ＿１がＰａｇｅ＿ｙと等しい場合（Ｓ１００５：Ｙｅｓ）、ＲＡＭ１２に蓄積されたＰａｇｅ＿ｙライン分の画像データを、今回生成したジョブにおける（２*Ｎ＿１−１）ページ目の分割画像データとする（Ｓ１００６）。次に、ＣＰＵ１０は、Ｙ＿１に０を設定し、Ｎ＿１に１を加算して（Ｓ１００７）、Ｓ１００２の処理に戻り、表面長尺画像の読み取りを再開する。
【００９０】
このようにして処理を繰り返すうちに、表面長尺画像全体の読み取りが終了し（Ｓ１００３：Ｙｅｓ）、且つ、Ｙ＿１が１以上の場合（Ｓ１００８：Ｙｅｓ）、すなわち、ＲＡＭ１２に１ライン分以上の画像データが蓄積されている場合、その蓄積されたＹ＿１ライン分の画像データを、今回生成したジョブにおける（２*Ｎ＿１−１）ページ目の分割画像データとする（Ｓ１００９）。一方、表面長尺画像の読み取りが終了した場合において、ＲＡＭ１２に画像データが蓄積されていない場合、即ち、Ｙ＿１が１未満の場合（Ｓ１００８：Ｎｏ）、ＣＰＵ１０は、Ｓ１００９をスキップする。次に、ＣＰＵ１０は、Ｅｎｄ＿ｆｌａｇ１に１を設定し（Ｓ１０１０）、Ｓ１０２０の処理へ移行する。
【００９１】
裏面長尺画像についても同様に、ＣＰＵ１０は、裏面長尺画像を１ライン分ずつスキャナ１８に読み取らせる（Ｓ１０１１）。そして、裏面長尺画像の読み取りが終了していない場合（Ｓ１０１２：Ｎｏ）、ＣＰＵ１０は、Ｙ＿２に１を加算し（Ｓ１０１３）、Ｙ＿２がＰａｇｅ＿ｙよりも小さい間（Ｓ１０１４：Ｎｏ）、Ｓ１０１１に戻り、処理を繰り返す。
【００９２】
このようにして処理を繰り返すうちに、Ｙ＿２がＰａｇｅ＿ｙと等しくなると（Ｓ１０１４：Ｙｅｓ）、ＣＰＵ１０は、ＲＡＭ１２に蓄積されたＰａｇｅ＿ｙライン分の画像データを（２*Ｎ＿２）ページ目の分割画像データとする（Ｓ１０１５）。そして、ＣＰＵ１０は、Ｙ＿２に０を設定し、Ｎ＿２に１を加算して（Ｓ１０１６）、Ｓ１０１１から処理を繰り返す。
【００９３】
そして、裏面長尺画像の読み取りが終了し（Ｓ１０１２：Ｙｅｓ）、且つ、Ｙ＿２が１以上の場合（Ｓ１０１７：Ｙｅｓ）、その蓄積されたＹ＿２ライン分の画像データを、（２*Ｎ＿２）ページ目の分割画像データとする（Ｓ１０１８）。一方、Ｙ＿２が１未満の場合（Ｓ１０１７：Ｎｏ）、ＣＰＵ１０は、Ｓ１０１８をスキップする。次に、ＣＰＵ１０は、Ｅｎｄ＿ｆｌａｇ２に１を設定し（Ｓ１０１９）、Ｓ１０２０の処理へ移行する。
【００９４】
次に、表面長尺画像または裏面長尺画像のうちいずれかの処理が終了していない場合、即ち、Ｅｎｄ＿ｆｌａｇ１およびＥｎｄ＿ｆｌａｇ２のいずれかが１でない場合（Ｓ１０２０：Ｎｏ）、ＣＰＵ１０は、次のステップに進まない。一方、両面の処理が終了し、Ｅｎｄ＿ｆｌａｇ１およびＥｎｄ＿ｆｌａｇ２が共に１であると判断される場合（Ｓ１０２０：Ｙｅｓ）、ＣＰＵ１０は、本処理を終了する。
【００９５】
長辺綴じ原稿読取処理により生成される分割画像データを、図９（ｃ）を参照して説明する。図９（ａ）に示す長辺綴じの原稿３５を長辺綴じ原稿読取処理で処理する場合、図９（ｃ）に示すように、表面長尺画像３６に対応した分割画像データと、裏面長尺画像３７に対応した分割画像データとが、１ページずつ交互に受信側装置に対して送信される。よって、片面ＦＡＸ送信処理の場合と同様に、受信側装置においては、記録紙４０の一方の面には、表面長尺画像３６に対応した画像が印刷され、他方の面には、裏面長尺画像３７に対応した画像が印刷される。よって、受信側装置が受信した画像データを両面印刷する場合であっても、当該受信側装置において視認性良く画像を印刷できる。
【００９６】
図１１は、ＭＦＰ１が実行する短辺綴じ原稿読取処理（Ｓ８０４）を示すフローチャートである。この処理では、短辺綴じの原稿３５から分割画像データを生成する。なお、短辺綴じ原稿読取処理（Ｓ８０４）は、原稿３５の裏面について分割画像データを生成する処理（Ｓ１１０１）のみが、長辺綴じ原稿読取処理（Ｓ８０３）と異なり、他の処理は同一であるため、同一の符号を付して説明を省略する。
【００９７】
図１２は、ＭＦＰ１のＣＰＵ１０が実行する裏面読取処理（Ｓ１１０１）を示すフローチャートである。この処理で使用する変数を説明する。「Ｄ」は、裏面長尺画像から生成する分割画像データの数を示す。「ｉ」は、今回の裏面読取処理が開始されてから、現在、何個目の分割画像データを生成しているかを示す。
【００９８】
ＣＰＵ１０は、まず、裏面長尺画像を１ライン分、スキャナ１８に読み取らせ、その画像データをＲＡＭ１２に蓄積させる（Ｓ１２０１）。裏面長尺画像の読み取りが終了していない場合（Ｓ１２０２：Ｎｏ）、ＣＰＵ１０は、Ｙ＿２に１を加算し（Ｓ１２０３）、Ｓ１２０１の処理に戻る。
【００９９】
一方、裏面長尺画像の読み取りが終了した場合（Ｓ１２０２：Ｙｅｓ）、ＣＰＵ１０は、ｃｅｉｌ（Ｙ２／Ｐａｇｅ＿ｙ）を算出して、その算出結果をＤに設定し、また、ｉに１を設定する（Ｓ１２０４）。
【０１００】
１個目の分割画像データを生成する場合、即ち、ｉが１の場合（Ｓ１２０５：Ｙｅｓ）、ＣＰＵ１０は、裏面長尺画像に対応する長尺画像データの０ラインから、（Ｙ＿２−Ｐａｇｅ＿ｙ*（Ｄ−１））ライン分のデータをトリミングして、分割画像データを生成する（Ｓ１２０６）。一方、２個目以降の分割画像データを生成する場合、即ち、ｉが１以外の場合（Ｓ１２０５：Ｎｏ）、長尺画像データの（Ｙ＿２−Ｐａｇｅ＿ｙ*（Ｄ−１）＋Ｐａｇｅ＿ｙ*（ｉ−２））ライン目から、Ｐａｇｅ＿ｙライン分のデータをトリミングして、分割画像データを生成する（Ｓ１２０７）。
【０１０１】
図１３を参照して、分割画像データの生成について説明する。上述したように、短辺綴じの原稿３５の場合、表面長尺原稿と裏面長尺原稿とは天地が逆転しているため、表面長尺画像から分割画像データを生成する場合と、裏面長尺画像から分割画像データを生成する場合とで処理を異ならせている。
【０１０２】
まず、表面長尺画像については、図１３（ａ−１）に示すように、０ライン目からＰａｇｅ＿ｙ分のデータ３６ａ１を１つ目の分割画像データとする。次に、図１３（ａ−２）に示すように、Ｐａｇｅ＿ｙライン目から、Ｐａｇｅ＿ｙライン分のデータ３６ａ２を２つめの分割画像データとする。そして、図１３（ａ−３）に示すように、Ｐａｇｅ＿ｙラインに満たない残りのデータ３６ａ３を３つ目の分割画像データとする。
【０１０３】
一方、裏面長尺画像の場合、まず、図１３（ｂ−１）に示すように、１つ目の分割画像データを生成するが、この１つめの分割画像データが、表面長尺画像の３つ目の分割画像データと同じサイズとなるようにする。具体的には、裏面長尺画像の０ライン目から、（Ｙ＿２−Ｐａｇｅ＿ｙ*（Ｄ−１））ライン分のデータ３６ｂ１をトリミングし、１つ目の分割画像データとする。なお、Ｄは裏面長尺画像から生成すべき分割画像データの総数を表す値であり、図１３に示す例の場合「Ｄ＝３」である。また、Ｙ＿２は、裏面長尺画像に対応した長尺画像データに含まれるライン数を示す変数であるが、表面長尺画像の長尺画像データに含まれるライン数にも等しい。
【０１０４】
次に、図１３（ｂ−２）に示すように、トリミング開始位置からＰａｇｅ＿ｙライン分のデータ３６ｂ２を、２つめの分割画像データとする。ここで、トリミング開始位置は、（Ｙ＿２−Ｐａｇｅ＿ｙ*（Ｄ−１））＋Ｐａｇｅ＿ｙ*（ｉ−２）として算出される。ｉは、これからトリミングするデータを何個目の分割画像データとするかを示す値である。例えば、図１３（ｂ−２）に示す例では、Ｄ＝３、ｉ＝２である。よって、（Ｙ＿２−Ｐａｇｅ＿ｙ*２＋０）ライン目をトリミング開始位置とし、そこからＰａｇｅ＿ｙライン分のデータ３６ｂ２をトリミングし、２つ目の分割画像データとする。最後に、図１３（ｂ−３）に示すように、トリミング開始位置からＰａｇｅ＿ｙライン分のデータ３６ｂ３を、３つ目の分割画像データとする。
【０１０５】
このようにすれば、表面長尺画像から生成される最後の分割画像データと、裏面長尺画像から生成される１つ目の分割画像データとのライン数を等しくすることができる。また、それ以外の分割画像データを全て同じライン数（Ｐａｇｅ＿ｙ）とすることができる。
【０１０６】
図１２に戻り説明する。次に、ＣＰＵ１０は、生成した分割画像データに対して、１８０°の回転処理を施す（Ｓ１２０８）。すなわち、表面長尺画像から生成した分割画像データは回転させず、裏面長尺画像から生成した分割画像データのみを回転させる。図１３を参照して説明したように、短辺綴じの原稿３５においては、表面長尺原稿画像と裏面長尺画像との天地が逆転されているからである。
【０１０７】
そして、回転後の分割画像データを、今回生成したジョブにおける（２*（Ｄ＋１−ｉ））ページ目の分割画像データとする（Ｓ１２０９）。すなわち、長尺画像データの副走査方向における先端（０ライン目）に近い分割画像データほど、大きいページ番号を割り当てる。
【０１０８】
図１３を参照し、短辺綴じ原稿読取処理で、各分割画像データに割り当てるページ番号について説明する。まず、表面長尺画像から生成される各分割画像データに対しては、奇数のページ番号が割り当られる。例えば、図１３に示す例では、表面長尺画像から生成される１つ目の分割画像データ（図１３（ａ−１））には、ページ番号「１」が割り当られ、３つ目の分割画像データには、ページ番号「５」が割り当てられる。
【０１０９】
一方、裏面長尺画像から生成される分割画像データに対しては、偶数のページ番号が割り当てられる。例えば、図１３に示す例では、裏面長尺画像から生成される１つ目の分割画像データ（図１３（ｂ−１））には、ページ番号「６」が割り当てられ、３つ目の分割画像データには、ページ番号「２」が割り当てられる。
【０１１０】
このようにすれば、表面長尺画像の１つ目の分割画像データを１ページ目に送信し、裏面長尺画像の最後の分割画像データ（１８０°回転済み）を２ページ目に送信できる。また、表面長尺画像の最後の分割画像データを５ページ目に送信し、裏面長尺画像の１つ目の分割画像データを６ページ目に送信できる。したがって、例えば、図９（ｃ）に示すように、表面長尺画像と裏面長尺画像との天地が一致する向きで、表面長尺画像から生成された分割画像データと、裏面長尺画像から生成された分割画像データとを順次送信できる。その結果、受信側装置においては、表面長尺画像に対応する画像と、裏面長尺画像に対応する画像との天地が一致する向きで、記録紙４０の表面と裏面とに画像を印刷できる。
【０１１１】
図１２に戻り説明する。次に、ＣＰＵ１０は、ｉに１を加算し（Ｓ１２１０）、ｉがＤ以下の場合（Ｓ１２１１：Ｙｅｓ）、Ｓ１２０５の処理に戻り、分割画像データのトリミングを繰り返す。一方、ｉがＤを超える場合（Ｓ１２１１：Ｎｏ）、ＣＰＵ１０は、Ｅｎｄ＿ｆｌａｇ２に１を設定し（Ｓ１２１２）、本処理を終了する。
【０１１２】
両面ＦＡＸ送信処理によれば、原稿３５が両面読み取りされる場合において、受信側装置が両面印刷を行う場合であっても、受信側装置において視認性良く画像を印刷できるように、画像データを送信できる。また、短辺綴じの原稿３５を送信する場合、すなわち表面長尺画像３６と裏面長尺画像３７の天地が逆向きである場合であっても、受信側装置においては、表面長尺画像３６に対応する画像と、裏面長尺画像３７に対応する画像との天地を一致させた向きで、印刷させることができる。
【０１１３】
上記実施形態において、ＭＦＰ１が通信装置の一例である。記録紙４０が記録媒体の一例である。原稿画像３１，表面長尺画像３６，裏面長尺画像３７が原稿画像の一例である。読取ユニット１８ａが読取部の一例に相当する。白紙データ３４が付加データの一例である。２*ｉがｎの一例である。印刷機能情報が機能情報の一例である。
【０１１４】
Ｓ４０６，Ｓ１００２，Ｓ１０１１，Ｓ１２０１を実行するＣＰＵ１０が読取手段の一例に相当する。Ｓ５１０，Ｓ５１３，Ｓ１００６，Ｓ１００９を実行するＣＰＵ１０が第１生成手段の一例に相当する。Ｓ５１１，Ｓ５１４，Ｓ１０１５，Ｓ１０１８，Ｓ１２０６，Ｓ１２０７を実行するＣＰＵ１０が第２生成手段の一例に相当する。Ｓ４１７，Ｓ８０５を実行するＣＰＵ１０が送信手段の一例に相当する。Ｓ４０２を実行するＣＰＵ１０が印刷機能取得手段の一例に相当する。Ｓ４０４を実行するＣＰＵ１０がサイズ取得手段の一例に相当する。Ｓ４１１を実行するＣＰＵ１０が総枚数判断手段の一例である。Ｓ７０１，Ｓ７０３を実行するＣＰＵ１０が第３生成手段の一例である。Ｓ５０４，Ｓ５０５を実行するＣＰＵ１０が付加手段の一例である。Ｓ１２０８を実行するＣＰＵ１０が回転手段の一例である。
【０１１５】
以上、実施形態に基づき本発明を説明したが、本発明は上述した実施形態に何ら限定されるものではなく、本発明の趣旨を逸脱しない範囲内で種々の改良変更が可能であることは容易に推察できるものである。
【０１１６】
例えば、上記実施形態で挙げた具体的数値は一例であり、他の数値を採用することは可能である。
【０１１７】
また、上記実施形態では、受信側装置が両面印刷するか否かを示す印刷機能情報、あるいは、受信側装置が受信可能な主走査サイズを示す主走査サイズ情報を、受信側装置から受信するものとして説明した。しかしながら、受信側装置毎にこれらの情報をフラッシュメモリ１１に予め記憶しておき、それを読み出しても良い。また、これらの情報をユーザに入力させても良い。
【０１１８】
また、上記実施形態では、副走査方向を長手方向とする原稿画像を送信する場合について説明したが、主走査方向を長手方向とする原稿画像を送信する場合にも、本発明を適用しても良い。
【０１１９】
また、上記実施形態では、２枚分の原稿画像から生成される分割画像データを１つのジョブとして送信したが、ＡＤＦ１９にセットされた１組の原稿から生成される全ての分割画像データを、１つのジョブとして送信しても良い。
【０１２０】
また、上記実施形態では、通信装置の一例としてＭＦＰ１を説明したが、ＦＡＸ送信機能を有する全ての装置に本発明を適用可能である。また、Ｇ３ＦＡＸ、Ｇ４ＦＡＸ、インターネットＦＡＸなど、各種規格のＦＡＸ送信について、本発明を適用可能である。
【０１２１】
また、上記実施形態では、１の原稿画像から生成される分割画像データ（第１画像データの一例）と、他の原稿画像から生成される分割画像データ（第２画像データの一例）とを、１ページずつ交互に送信していたが、必ずしもこの送信順序に限られるものではない。すなわち、送信順序において（ｎ−１）ページ目の画像データとｎページ目の画像データとのうち、一方の画像データが第１画像データであり、他方の画像データが第２画像データとなる送信順序で送信すれば良い（ｎは任意の偶数）。
【０１２２】
具体的には、例えば、送信順序の１，４ページ目を第１画像データとし、送信順序の２，３ページ目を第２画像データとして送信しても良い。このようにしても、受信側装置においては、一方の面に第１画像データに基づく画像が印刷され、他方の面に第２画像データに基づく画像が印刷された印刷結果が得られるからである。
【０１２３】
同様のことは、原稿の総枚数が奇数である場合に最終原稿の原稿画像から生成した分割画像データ（第３画像データの一例）を送信する場合についてもいえる。すなわち、送信順序において（ｎ−１）ページ目の画像データとｎページ目の画像データとのうち、一方の画像データは１ページ分の第３画像データであり、他方の画像データは所定の１ページ分の画像データ（例えば白紙データ３４）となる送信順序で、複数ページの第３画像データを送信すれば良い。
【０１２４】
また、白紙データ３４に代えて改ページコマンドを送信しても良い。すなわち、受信側装置が第３画像データに基づく画像を記録紙４０の一方の面に印刷する場合には、常に、他方の面には何も印刷されないよう、第３画像データと改ページコマンドとをセットで送信するように構成しても良い。
【０１２５】
また、上記実施形態においては、分割画像データをトリミング後に当該分割画像データに対して１８０°の回転処理を施していたが、長尺画像データを１８０°回転させた上で分割画像データをトリミングしても良い。
【０１２６】
また、上記実施形態においては、原稿が短辺綴じである場合に、分割画像データを回転させることとしていたが、原稿が長辺綴じである場合においても、分割画像データを回転させても良い。このようにすれば、受信側装置においては、短辺綴じに適した印刷結果（すなわち、表面と裏面とで天地が逆転した印刷結果）が得られる。
【０１２７】
また、上記実施形態では、ＡＤＦ１９で原稿画像３１を移動させつつ読み取る場合について説明したが、フラッドベッドに載置された原稿画像に対して読取ユニット１８ａを移動させつつ原稿画像を読み取る場合にも本発明を適用可能である。
【０１２８】
また、上記実施形態では、分割画像データをＡ４サイズとするかレターサイズとするかをユーザに選択させていた。しかしながら、受信側装置にセットされた記録紙４０のサイズを示すサイズ情報が、受信側装置からＭＦＰ１に送信される場合には、ＭＦＰ１は、当該サイズ情報を取得し、このサイズ情報に対応したサイズの分割画像データを生成してよい。
【符号の説明】
【０１２９】
１                  ＭＦＰ
１８ａ              読取ユニット
３０、３５          原稿
３１                原稿画像
３２                分割画像
３６                表面長尺画像
３７                裏面長尺画像
４０                記録紙
【図１】
0005811692.tif 000002
【図２】
0005811692.tif 000003
【図３】
0005811692.tif 000004
【図４】
0005811692.tif 000005
【図５】
0005811692.tif 000006
【図６】
0005811692.tif 000007
【図７】
0005811692.tif 000008
【図８】
0005811692.tif 000009
【図９】
0005811692.tif 000010
【図１０】
0005811692.tif 000011
【図１１】
0005811692.tif 000012
【図１２】
0005811692.tif 000013
【図１３】
0005811692.tif 000014
【図１４】
0005811692.tif 000015